(57)【要約】      （修正有）【課題】回転方向のガタが小さく、２方向クラッチがミス係合するのを防止することができるようにした部品点数の少ない回転伝達装置を提供することである。【解決手段】外輪１とカムリング４間に２方向クラッチ１０を組込み電磁クラッチ３０を設ける。２方向クラッチ１０は、外輪１とカムリング４の間にローラ１３を組込み保持器１４で保持したローラクラッチとする。保持器１４に形成されたポケット１５を、半数のローラ１３を収容する第１ポケット１５ａと、残りのローラ１３を収容する第２ポケット１５ｂとし、第１ポケット１５ａをカム面１２の周方向長さの２等分位置からくさび形空間の周方向一端側に片寄った位置に形成し、第２ポケット１５ｂをくさび形空間の周方向他端側に片寄った位置に形成して周方向に不等配の配置とし、カムリング４と保持器１４とが相対回転した際にローラ１３を円筒面１１およびカム面１２に直ちに係合させるようにする。【選択図】図５
2008045706.tif 000002
【特許請求の範囲】
【請求項１】
外輪の内周に円筒面を形成し、外輪の内側に組込まれたカムリングの外周に前記円筒面との間で周方向の両端が狭小のくさび形空間を形成する複数のカム面を周方向に設け、前記外輪とカムリング間に組込まれた保持器には各カム面と対向する位置にポケットを形成し、各ポケット内にローラを収容し、前記保持器にスイッチばねの弾性力を負荷してローラが円筒面とカム面に対して係合解除される係合解除位置に保持器を弾性保持し、前記保持器に回り止めされ、かつ軸方向に移動自在に支持されたアーマチュアと外輪に回り止めされたロータを軸方向で対向し、そのロータに電磁石を対向し、その電磁石に対する通電によりアーマチュアに磁気吸引力を付与してロータにアーマチュアを吸着させるようにした回転伝達装置において、
前記保持器に形成されたポケットが一つのカム面に対して一つとされてカム面と同数とされ、周方向で隣接する二つのポケットの相互において、一方のポケットがカム面の周方向長さの２等分位置からくさび形空間の周方向一端の狭小部側に片寄った位置に配置され、他方のポケットがカム面の周方向長さの２等分位置からくさび形空間の周方向他端の狭小部側に片寄った位置に配置されるよう前記複数のポケットを周方向に不等配の配置とし、各カム面にはポケットと対向する位置にローラの外周一部を収容してローラを前記円筒面との間に径方向隙間が形成される空転状態に保持する凹部を形成したことを特徴とする回転伝達装置。
【請求項２】
前記凹部が、ローラの外周に沿う円弧状とされた請求項１に記載の回転伝達装置。
【請求項３】
前記凹部が、相反する方向に傾斜する二つの面で形成され、くさび形空間の狭小部側に位置する一方の面がローラの外周に沿う円弧状面とされ、くさび形空間の広幅部側に位置する他方の面がテーパ面とされた請求項１に記載の回転伝達装置。
【請求項４】
外輪の内周に円筒面を形成し、外輪の内側に組込まれたカムリングの外周に前記円筒面との間で周方向の両端が狭小のくさび形空間を形成する複数のカム面を周方向に設け、前記外輪とカムリング間に組込まれた保持器には各カム面と対向する位置にポケットを形成し、各ポケット内にローラを収容し、前記保持器にスイッチばねの弾性力を負荷してローラが円筒面とカム面に対して係合解除される係合解除位置に保持器を弾性保持し、前記保持器に回り止めされ、かつ軸方向に移動自在に支持されたアーマチュアと外輪に回り止めされたロータを軸方向で対向し、そのロータに電磁石を対向し、その電磁石に対する通電によりアーマチュアに磁気吸引力を付与してロータにアーマチュアを吸着させるようにした回転伝達装置において、
前記保持器に形成されたポケットが、一つのカム面に対して二つとされてカム面の数の２倍の数とされ、一つのカム面と対向する二つのポケットの相互において一方のポケットがカム面の周方向長さの２等分位置からくさび形空間の周方向一端の狭小部側に片寄った位置に配置され、他方のポケットがカム面の周方向長さの２等分位置からくさび形空間の周方向他端の狭小部側に片寄った位置に配置されるよう前記複数のポケットを周方向に不等配の配置とし、各カム面には、そのカム面に対向する二つのローラのそれぞれを収容して各ローラを前記円筒面との間に径方向隙間が形成される空転状態に保持する凹部を形成したことを特徴とする回転伝達装置。
【請求項５】
前記凹部の周方向両端部にローラの外周に沿う円弧状面を形成した請求項４に記載の回転伝達装置。
【発明の詳細な説明】
【技術分野】
【０００１】
この発明は、動力の伝達経路上において、動力の伝達と遮断の切換えに用いられる回転伝達装置に関するものである。
【背景技術】
【０００２】
ＦＲベースの４輪駆動車において、補助駆動輪としての前輪に駆動力の伝達と遮断とを行う回転伝達装置として、外輪とその内側に組込まれたカムリング間に２方向クラッチを組込み、その２方向クラッチに併設した電磁クラッチによって２方向クラッチの係合および係合解除を制御し、上記２方向クラッチの係合により外輪とカムリングを結合して、外輪とカムリングの相互間でトルクの伝達を行うようにしたものが従来から知られている。
【０００３】
ここで、２方向クラッチは、図１３(Ｉ)に示すように、外輪４０の内周に円筒面４１を形成し、カムリング４２の外周には上記円筒面４１との間で周方向の両端が狭小のくさび形空間を形成するカム面４３を設け、そのカム面４３と円筒面４１との間にローラ４４を組込み、そのローラ４４を保持する保持器４５とカムリング４２の相対回転によりローラ４４を円筒面４１およびカム面４３に係合させるようにしている。
【０００４】
ここで、保持器４５はカムリング４２との間に組込まれた図示省略したスイッチばねにより、ローラ４４が円筒面４１およびカム面４３に対して係合解除される中立位置に弾性保持されている。
【０００５】
一方、電磁クラッチは、図では省略したが、保持器４５に回り止めされ、かつ軸方向に移動自在に支持されたアーマチュアに外輪４０に接続されたロータを対向すると共に、そのロータに電磁石を対向し、この電磁石に対する通電により、ロータにアーマチュアを吸着し、外輪４０に結合されたアーマチュアとカムリング４２の相対回転によりローラ４４を円筒面４１およびカム面４３に係合させるようにしている。
【０００６】
ところで、上記回転伝達装置における２方向クラッチにおいては、ローラ４４が例えば図１３(II)で示すように、くさび形空間の向かって左側の狭小部に押込まれてカムリング４２の矢印で示す方向の回転を外輪４０に伝達する状態で、カムリング４２と外輪４０の回転数の大小関係、あるいは、トルクの大小関係のバランスが逆転すると、ローラ４４は同図の鎖線で示すように右側に移動して、くさび形空間の右側の狭小部に押込まれることになる。
【０００７】
このときのローラ４４の移動角θは、２方向クラッチの回転方向のガタとなり、その回転方向のガタが大きいため、ローラ４４の係合時にショックが発生する不都合がある。
【０００８】
そのような不都合を解消するため、本件出願人は、特許文献１において、外輪と入力軸に形成されたカムリング部間に径の異なる２つの保持器を組込み、一方の保持器で正転用ローラを保持し、他方の保持器で逆転用ローラを保持し、その２つの保持器を相反する方向に相対回転させて、正転用ローラおよび逆転用ローラの双方を円筒面およびカム面に接触または近接するスタンバイ位置に変位させ、入力軸の回転方向に応じて正転用ローラと逆転用ローラの一方を円筒面およびカム面に直ちに係合させるように回転伝達装置を提案している。
【０００９】
【特許文献１】特開２００５−０６１４２３号公報
【発明の開示】
【発明が解決しようとする課題】
【００１０】
ところで、上記特許文献１に記載された回転伝達装置においては、径の異なる２つの保持器が必要であると共に、その２つの保持器を相対的に回転させるカム部材等を必要とするため、部品点数が多く、各部の連結部のガタに起因して、ローラの係合および係合解除の信頼性が確保し難く改善すべき点が起こされている。
【００１１】
この発明の課題は、回転方向のガタが小さく、２方向クラッチがミス係合するのを防止することができるようにした部品点数の少ない回転伝達装置を提供することである。
【課題を解決するための手段】
【００１２】
上記の課題を解決するため、第１の発明においては、外輪の内周に円筒面を形成し、外輪の内側に組込まれたカムリングの外周に前記円筒面との間で周方向の両端が狭小のくさび形空間を形成する複数のカム面を周方向に設け、前記外輪とカムリング間に組込まれた保持器には各カム面と対向する位置にポケットを形成し、各ポケット内にローラを収容し、前記保持器にスイッチばねの弾性力を負荷してローラが円筒面とカム面に対して係合解除される係合解除位置に保持器を弾性保持し、前記保持器に回り止めされ、かつ軸方向に移動自在に支持されたアーマチュアと外輪に回り止めされたロータを軸方向で対向し、そのロータに電磁石を対向し、その電磁石に対する通電によりアーマチュアに磁気吸引力を付与してロータにアーマチュアを吸着させるようにした回転伝達装置において、前記保持器に形成されたポケットが一つのカム面に対して一つとされてカム面と同数とされ、周方向で隣接する二つのポケットの相互において、一方のポケットがカム面の周方向長さの２等分位置からくさび形空間の周方向一端の狭小部側に片寄った位置に配置され、他方のポケットがカム面の周方向長さの２等分位置からくさび形空間の周方向他端の狭小部側に片寄った位置に配置されるよう前記複数のポケットを周方向に不等配の配置とし、各カム面にはポケットと対向する位置にローラの外周一部を収容してローラを前記円筒面との間に径方向隙間が形成される空転状態に保持する凹部を形成した構成を採用したのである。
【００１３】
ここで、前記凹部は、ローラの外周に沿う円弧状とされたものであってもよく、あるいは、相反する方向に傾斜する二つの面で形成され、くさび形空間の狭小部側に位置する一方の面がローラの外周に沿う円弧状面とされ、くさび形空間の広幅部側に位置する他方の面がテーパ面とされたものであってもよい。上記のように、凹部を円弧状とし、あるいはくさび形空間の狭小部側の面を円弧状とすることによって、カムリングの空転時にローラがくさび形空間の狭小部に噛み込む係合位置に変位するのを確実に防止することができる。
【００１４】
また、第２の発明においては、外輪の内周に円筒面を形成し、外輪の内側に組込まれたカムリングの外周に前記円筒面との間で周方向の両端が狭小のくさび形空間を形成する複数のカム面を周方向に設け、前記外輪とカムリング間に組込まれた保持器には各カム面と対向する位置にポケットを形成し、各ポケット内にローラを収容し、前記保持器にスイッチばねの弾性力を負荷してローラが円筒面とカム面に対して係合解除される係合解除位置に保持器を弾性保持し、前記保持器に回り止めされ、かつ軸方向に移動自在に支持されたアーマチュアと外輪に回り止めされたロータを軸方向で対向し、そのロータに電磁石を対向し、その電磁石に対する通電によりアーマチュアに磁気吸引力を付与してロータにアーマチュアを吸着させるようにした回転伝達装置において、前記保持器に形成されたポケットが、一つのカム面に対して二つとされてカム面の数の２倍の数とされ、一つのカム面と対向する二つのポケットの相互において一方のポケットがカム面の周方向長さの２等分位置からくさび形空間の周方向一端の狭小部側に片寄った位置に配置され、他方のポケットがカム面の周方向長さの２等分位置からくさび形空間の周方向他端の狭小部側に片寄った位置に配置されるよう前記複数のポケットを周方向に不等配の配置とし、各カム面には、そのカム面に対向する二つのローラのそれぞれを収容して各ローラを前記円筒面との間に径方向隙間が形成される空転状態に保持する凹部を形成した構成を採用したのである。
【００１５】
上記第２の発明において、凹部の周方向両端部にローラの外周に沿う円弧状面を形成することによって、カムリングの空転時にローラが係合位置に変位するのを確実に防止することができる。
【発明の効果】
【００１６】
上記第１の発明のように、保持器に形成された複数のポケットを周方向に不等配の配置とし、その半数のポケットをカム面の周方向長さの２等分位置からくさび形空間の周方向一端の狭小部側に片寄った位置とし、残り半数のポケットをカム面の周方向長さの２等分位置からくさび形空間の周方向他端の狭小部側に片寄った位置に配置したことにより、カムリングと保持器とが一方向に相対回転すると、複数のローラの半数のローラが円筒面およびカム面に直ちに係合すると共に、カムリングと保持器とが他方向に相対回転すると、残りの半数のローラが円筒面およびカム面に直ちに係合することになり、回転方向ガタの小さな部品点数の少ない回転伝達装置を得ることができる。
【００１７】
また、カムリングの外周に形成された複数のカム面のそれぞれにローラの外周一部が収容される凹部を設けたことにより、部品の寸法にバラつきや、外輪とカムリングの相互間に芯ずれがあっても、外輪内周の円筒面とローラとの間に径方向隙間を確保することができる。このため、２方向クラッチの係合解除状態において、ローラは係合位置に変位するようなことはなく、空転時にローラがミス係合することのない信頼性の高い２方向クラッチを得ることができる。
【００１８】
第２の発明のように、カムリングに形成された複数のカム面のそれぞれに対向して保持器にポケットを形成すると共に、一つカム面に対して二つのポケットが対向するよう設け、その二つのポケットの一方のポケットをカム面の周方向長さの２等分位置からくさび形空間の周方向一端の狭小部側に片寄った位置とし、他方のポケットをカム面の周方向長さの２等分位置からくさび形空間の周方向他端の狭小部側に片寄った位置としたことにより、カムリングと保持器とが一方向に相対回転すると、複数のローラのうち半数のローラが円筒面およびカム面に直ちに係合すると共に、カムリングと保持器とが他方向に相対回転すると、残りの半数のローラが円筒面およびカム面に直ちに係合することになり、回転方向ガタの小さな部品点数の少ない回転伝達装置を得ることができる。
【００１９】
また、カムリングの外周に形成された複数のカム面のそれぞれに、各カム面に対向する二つのローラのそれぞれを収容する凹部を設けたことにより、部品の寸法にバラつきや、外輪とカムリングの相互間に芯ずれがあっても、外輪内周の円筒面とローラとの間に径方向隙間を確保することができる。このため、第１の発明と同様に、２方向クラッチの係合解除状態において、ローラは係合位置に変位するようなことはなく、空転時にローラがミス係合することのない信頼性の高い２方向クラッチを得ることができる。
【００２０】
このため、第１の発明と同様に、２方向クラッチの係合解除状態において、ローラは係合位置に変位するようなことはなく、空転時にローラがミス係合することのない信頼性の高い２方向クラッチを得ることができる。
【発明を実施するための最良の形態】
【００２１】
以下、この発明の実施の形態を図面に基いて説明する。図１に示すように、外輪１の内側には入力軸２が挿入され、その入力軸２と外輪１は軸受３によって相対的に回転自在に支持されている。
【００２２】
入力軸２の外輪１内に位置する部分にはカムリング４が嵌合され、そのカムリング４はセレーション５によって入力軸２に回り止めされ、止め輪６によって軸方向に位置決めされている。
【００２３】
外輪１とカムリング４との間には２方向クラッチ１０が組込まれている。図１および図５に示すように、２方向クラッチ１０は、外輪１の内周に円筒面１１を形成し、カムリング４の外周には上記円筒面１１との間で周方向の両端が狭小のくさび形空間を形成する平坦なカム面１２を周方向に連続して設け、その各カム面１２と円筒面１１間にローラ１３を組込み、そのローラ１３を保持器１４で保持している。
【００２４】
ここで、保持器１４は、複数のローラ１３のうち、その半数のローラ１３を個別に収容する第１ポケット１５ａと、残り半数のローラ１３を個別に収容する第２ポケット１５ｂを有し、その第１ポケット１５ａと第２ポケット１５ｂは周方向に交互に配置されている。また、第１ポケット１５ａは、カム面１２の周方向長さの２等分位置からくさび形空間の周方向一端側に片寄った位置に形成され、一方、第２ポケット１５ｂはカム面１２の周方向長さの２等分位置からくさび形空間の周方向他端側に片寄った位置に形成されて周方向に不等配の配置とされている。
【００２５】
図５および図６に示すように、カム面１２のそれぞれには、ローラ１３の外周一部が収容可能な凹部１６が形成されている。凹部１６は、ローラ１３の外周に沿う円弧状とされ、その凹部１６内にローラ１３の外周一部が収容される状態で、ローラ１３と外輪１の円筒面１１間に径方向隙間δ１が形成されている。
【００２６】
図２および図４に示すように、カムリング４の一端にはばね収容凹部１７が形成され、そのばね収容凹部１７内にスイッチばね１８が組込まれている。スイッチばね１８はＣ形をなし、その両端から外向きに設けられた一対の押圧片１８ａはばね収容凹部１７の周壁に形成された切欠部１９および保持器１４の端部に設けられた切欠き２０内に挿入されて切欠部１９および切欠き２０の周方向で対向する側面を相反する方向に押圧し、その押圧によって、保持器１４は各ローラ１３が凹部１６に収容される状態に弾性保持されている。
【００２７】
スイッチばね１８は、カムリング４の端部の小径筒部４ａに嵌合されたコネクティングプレート２１によってばね収容凹部１７から抜け出るのが防止されている。コネクティングプレート２１は止め輪２２によって軸方向に位置決めされ、外周にはＬ形の係合片２３が設けられている。係合片２３は保持器１４の端部に設けられた前記切欠き２０と係合し、その係合によってコネクティングプレート２１は保持器１４に回り止めされている。
【００２８】
図１および図２に示すように、外輪１と保持器１４の相互間には、２方向クラッチ１０の係合および係合解除を制御する電磁クラッチ３０が上記２方向クラッチ１０に併設して設けられている。
【００２９】
電磁クラッチ３０は、保持器１４の端面に対向配置されたアーマチュア３１と、そのアーマチュア３１と軸方向で対向するロータ３２と、そのロータ３２と軸方向で対向する電磁石３３とからなる。
【００３０】
図２に示すように、アーマチュア３１はカムリング４の端部に設けられた円筒部４ａにスライド自在に嵌合されている。このアーマチュア３１には係合孔３４が形成され、その係合孔３４にコネクティングプレート２１の外周の係合片２３が係合し、その係合によってアーマチュア３１は保持器１４に対して回り止めされ、かつ軸方向に移動自在とされている。
【００３１】
ロータ３２は、外輪１の開口端部に接続された非磁性体からなるロータガイド３６の端部内に圧入されてロータガイド３６に回り止めされている。このロータ３２には複数の円弧状のスリット３７が周方向に間隔をおいて形成されている。
【００３２】
また、アーマチュア３１と前記コネクティングプレート２１の対向端面間には、アーマチュア３１をロータ３２から離反する方向に付勢する弾性部材３９が組込まれている。
【００３３】
電磁石３３は、電磁コイル３３ａと、その電磁コイル３３ａを支持するコア３３ｂとからなり、上記電磁コイル３３ａに通電すると、コア３３ｂ、ロータ３２およびアーマチュア３１に磁束が流れ、アーマチュア３１に吸引力が付与されるようになっている。
【００３４】
実施の形態で示す回転伝達装置は上記の構造からなり、図２は、２方向クラッチ１０の係合解除状態を示し、入力軸２と共にカムリング４が回転しても、その回転は外輪１に伝達されず、カムリング４はフリー回転する。
【００３５】
カムリング４の回転状態において、電磁石３３の電磁コイル３３ａに通電すると、コア３３ｂ、ロータ３２およびアーマチュア３１間に磁束が流れて、アーマチュア３１に磁気吸引力が負荷され、図３に示すように、アーマチュア３１がロータ３２に吸着される。
【００３６】
アーマチュア３１の吸着により、その吸着面に作用する摩擦抵抗は保持器１４の回転抵抗となるため、カムリング４と保持器１４が相対回転する。
【００３７】
ここで、カムリング４が保持器１４に対して、図６の矢印で示す反時計方向に回転すると、図７に示すように、第１ポケット１５ａ内に収容されたローラ１３が凹部１６から抜け出して円筒面１１およびカム面１２に係合する。このとき、第１ポケット１５ａは、カム面１２の周方向長さの２等分位置からくさび形空間の周方向一端側に片寄った位置に形成されているため、カムリング４と保持器１４が相対回転すると、第１ポケット１５ａ内のローラ１３は円筒面１１およびカム面１２に直ちに係合して、２方向クラッチ１０は係合状態となり、カムリング４の回転が外輪１に伝達される。
【００３８】
また、カムリング４が保持器１４に対して、図６の矢印で示す反対の方向に回転すると、第２ポケット１５ｂ内に収容されたローラ１３が凹部１６から抜け出して、円筒面１１およびカム面１２に係合する。このとき、第２ポケット１５ｂは、カム面１２の周方向長さの２等分位置からくさび形空間の周方向他端側に片寄った位置に形成されているため、カムリング４と保持器１４が相対回転すると、第２ポケット１５ｂ内のローラ１３は円筒面１１およびカム面１２に直ちに係合して、２方向クラッチ１０は係合状態となり、カムリング４の回転が外輪１に伝達される。
【００３９】
このように、カムリング４と保持器１４が相対回転すると、第１ポケット１５ａ内に収容されたローラ１３または第２ポケット１５ｂ内に収容されたローラ１３が円筒面１１およびカム面１２と直ちに係合するため、回転方向のガタがきわめて少なく、係合時に係合ショックが生じたり、異音が発生するようなことはない。
【００４０】
また、保持器１４に第１ポケット１５ａと第２ポケット１５ｂを不等配に形成することによって、各ポケット１５ａ、１５ｂ内に収容されたローラ１３を円筒面１１およびカム面１２に直ちに係合させることができるため、部品点数の少ない簡単な構成でもって回転方向ガタの少ない回転伝達装置を得ることができる。
【００４１】
図７に示す２方向クラッチ１０の係合状態において、図１に示す電磁石３３の電磁コイル３３ａに対する通電を遮断すると、弾性部材３９の復元力によって、アーマチュア３１がロータ３２から離反すると共に、スイッチばね１８の復元弾性により、保持器１４が回転し、第１ポケット１５ａ内に組込まれたローラ１３および第２ポケット１５ｂ内に組込まれたローラ１３は、図６に示すように、凹部１６内に嵌合する位置に戻され、２方向クラッチ１０は係合解除して、カムリング４から外輪１への回転伝達が遮断され、カムリング４がフリー回転する。
【００４２】
このとき、ローラ１３と外輪１の円筒面１１との間には、径方向隙間δ１が確保されるため、ローラ１３は係合位置に変位されるようなことはなく、ミス係合することはない。
【００４３】
図６では、カム面１２に形成された凹部１６として、ローラ１３の外周に沿う円弧状としたが、凹部１６はこれに限定されるものではない。たとえば、図８に示すように、相反する方向に傾斜する二つの面１６ａ、１６ｂで形成し、くさび形空間の狭小部側に位置する一方の面１６ａをローラ１３の外周に沿う円弧状面とし、くさび形空間の広幅部側に位置する他方の面１６ｂをテーパ面としてもよい。
【００４４】
図９は、カムリング４と保持器１４の相対回転によってローラ１３がカム面１２と円筒面１１に係合した状態を示す。図８に示すように、凹部１６のくさび形空間の狭小部側に位置する一方の面１６ａを円弧状面とし、あるいは、図６に示すように、凹部１６を円弧状とすることによって、カムリング４の空転時にローラ１３が係合位置に変位するのを確実に防止することができる。
【００４５】
図１０乃至図１２は、この発明に係る回転伝達装置の他の例を示す。この例では、保持器１４にカムリング４の外周に形成された複数のカム面１２の各カム面１２に対向して二つのポケット１５ｃ、１５ｄを設け、その一方のポケット１５ｃをカム面１２の周方向長さの２等分位置からくさび形空間の周方向一端の狭小部側に片寄った位置に配置し、他方のポケット１５ｄをカム面１２の周方向長さの２等分位置からくさび形空間の周方向他端の狭小部側に片寄った位置に配置して、保持器１４に形成された複数のポケットを周方向に不等配の配置としている。
【００４６】
また、各カム面１２には、そのカム面１２に対向するポケット１５ｃ、１５ｄ内の二つのローラ１３が収容される凹部２５を形成して、各ローラ１３を円筒面１１との間に径方向隙間δ２が形成される空転状態に保持し、その凹部２５の周方向両端部に各ローラ１３の外周に沿う円弧状面２６を形成している。
【００４７】
他の構成は図１乃至図７に示す回転伝達装置と同一であるため、同一部品には同一の符合を付して説明を省略する。
【００４８】
図１０乃至図１２に示す回転伝達装置においても、複数のローラ１３のそれぞれがくさび形空間の狭小部側の端部に配置されるため、カムリング４が保持器１４に対して、図１１の矢印で示す方向に相対回転すると、半数のローラ１３が図１２で示すように円筒面１１およびカム面１２に直ちに係合する。
【００４９】
また、カムリング４が保持器１４に対して、図１１の矢印で示す方向と反対の方向に相対回転すると、残りの半数のローラ１３が円筒面１１およびカム面１２に直ちに係合することになり、回転方向ガタの少ない回転伝達装置を得ることができる。
【００５０】
また、カム面１２のそれぞれに、各カム面１２に対向する二つのローラ１３のそれぞれを収容する凹部２５を設けたことにより、部品の寸法にバラつきや、外輪１とカムリング４の相互間に芯ずれがあっても、外輪１内周の円筒面１１とローラ１３との間に径方向隙間δ２を確保することができる。このため、２方向クラッチ１０の係合解除状態において、ローラ１３は係合位置に変位するようなことはなく、空転時にローラ１３がミス係合することのない信頼性の高い２方向クラッチ１０を得ることができる。
【図面の簡単な説明】
【００５１】
【図１】この発明に係る回転伝達装置の実施の形態を示す縦断正面図
【図２】図１の電磁クラッチ部を拡大して示す断面図
【図３】図１の電磁クラッチの係合状態を示す断面図
【図４】図１のIV−IV線に沿った断面図
【図５】図１のＶ−Ｖ線に沿った断面図
【図６】図５に示す２方向クラッチの係合解除状態を示す断面図
【図７】図５に示す２方向クラッチの係合状態を示す断面図
【図８】カム面に形成する凹部の他の例を示す断面図
【図９】図８に示す２方向クラッチの係合状態を示す断面図
【図１０】この発明に係る回転伝達装置の他の実施の形態を示す縦断正面図
【図１１】図１０に示す２方向クラッチの係合解除状態を示す断面図
【図１２】図１０に示す２方向クラッチの係合状態を示す断面図
【図１３】(Ｉ)は、従来の回転伝達装置の２方向クラッチの断面図、(II)は、２方向クラッチの係合状態を示す断面図
【符号の説明】
【００５２】
１      外輪
４      カムリング
１１    円筒面
１２    カム面
１２ａ  第１カム面
１２ｂ  第２カム面
１３    ローラ
１４    保持器
１５    ポケット
１５ａ  第１ポケット
１５ｂ  第２ポケット
１５ｃ  第１ポケット
１５ｄ  第２ポケット
１６    凹部
１６ａ  傾斜面
１６ｂ  傾斜面
１８    スイッチばね
３１  アーマチュア
３２  ロータ
３３  電磁石
【図１】
2008045706.tif 000003
【図２】
2008045706.tif 000004
【図３】
2008045706.tif 000005
【図４】
2008045706.tif 000006
【図５】
2008045706.tif 000007
【図６】
2008045706.tif 000008
【図７】
2008045706.tif 000009
【図８】
2008045706.tif 000010
【図９】
2008045706.tif 000011
【図１０】
2008045706.tif 000012
【図１１】
2008045706.tif 000013
【図１２】
2008045706.tif 000014
【図１３】
2008045706.tif 000015